(57)【要約】【課題】遊技球の重さを利用して別個の遊技球が入賞部に案内される準備を行うことができる遊技機を提供する。【解決手段】球移動機構４５は、回動体５１と球保持部５２とを備え、球転動領域３６上の遊技球を球保持部５２へ受入可能な球受入姿勢と、球保持部５２内の遊技球を始動入賞口の直上へ放出可能な球放出姿勢とに変換可能とし、回動体５１の外周部には球吸着部６６を備え、球受入姿勢で球保持部５２に遊技球を保持すると、遊技球の自重で回動体５１を回動して球移動機構４５を球放出姿勢へ変換し、遊技球保持状態で球移動機構４５を球放出姿勢へ変換すると、遊技球を球保持部５２から放出し、球転動領域３６上の遊技球を球吸着部６６へ吸着可能とし、遊技球吸着状態で球移動機構４５を球受入姿勢へ変換すると、球吸着部６６上の遊技球を球吸着部６６から脱離し、脱離された遊技球の下方に球保持部５２を臨ませて遊技球を球保持部５２へ保持する。【選択図】図８
2010136907.tif 000002
【特許請求の範囲】
【請求項１】
遊技領域が区画形成された遊技盤と、遊技領域に配置され、遊技球が内部に入ることを規制する壁を枠状に設けた包囲枠体と、遊技領域のうち包囲枠体の下方に配置され、遊技球が入賞可能な入賞部と、を備えた遊技機において、
前記包囲枠体は、遊技球が転動可能な球転動領域と、上流側開口を遊技領域へ連通するとともに下流側開口を球転動領域の側方へ臨ませ、遊技領域を流下する遊技球を球転動領域へ案内可能な転動案内路と、球転動領域上の遊技球を入賞部の直上へ移動可能な球移動機構と、を備え、
該球移動機構は、回動中心軸周りに回動して外周部を上下方向に沿って移動可能な回動体と、該回動体の外周部を凹ませて形成され、遊技球を保持可能な球保持部と、を備え、該球保持部を上昇させて球転動領域へ下方から臨ませて球転動領域上の遊技球を球保持部へ受入可能な球受入姿勢と、球保持部を下降させて入賞部の直上へ向けて上方から臨ませて球保持部内の遊技球を放出可能な球放出姿勢と、に変換可能とし、
前記回動体の外周部のうち、球放出姿勢の状態で球転動領域へ臨ませる部分を球吸着部とし、該吸着部には遊技球を吸着可能な磁石を配置し、
前記回動体の外周部の外方には、球吸着部に吸着された遊技球へ係合して該遊技球を球吸着部から脱離させる球脱離部を設け、
前記球移動機構を球受入姿勢とした状態で球保持部に遊技球を保持すると、該遊技球の重心を回動体の回動中心軸の直上から外した位置に設定し、前記遊技球の自重により回動体を回動して球移動機構を球放出姿勢へ変換し、
前記球保持部に遊技球を保持した状態で球移動機構を球放出姿勢へ変換すると、遊技球を球保持部から入賞部の直上へ向けて放出し、球吸着部を球転動領域へ臨ませて球転動領域上の遊技球を球吸着部へ吸着可能とし、
前記球吸着部に遊技球を吸着した状態で球移動機構を球放出姿勢から球受入姿勢へ変換すると、球吸着部に吸着されていた遊技球と球脱離部とを係合し、この係合状態で回動体を回動して遊技球を球吸着部から脱離し、脱離された遊技球の下方に球保持部を臨ませて遊技球を球保持部へ保持可能としたことを特徴とする遊技機。
【請求項２】
前記包囲枠体は、球転動領域よりも低い位置に副球転動領域を設け、球転動領域と副球転動領域との間に前記球移動機構を備え、該球移動機構により球転動領域上の遊技球を副球転動領域へ通して入賞部の直上へ移動可能とし、
前記副球転動領域には、球移動機構によって球転動領域から移動してきた遊技球を入賞部の直上へ案内可能な入賞案内路を設け、
前記球移動機構を球放出姿勢へ変換すると、球保持部を下降させて副球転動領域へ上方から臨ませて球保持部内の遊技球を副球転動領域の入賞案内路へ放出可能としたことを特徴とする請求項１に記載の遊技機。
【請求項３】
前記球移動機構は、球保持部の開口縁のうち回動中心軸方向の両端に位置する箇所に流入阻止突起を突設し、
前記球移動機構を球受入姿勢へ変換すると、各流入阻止突起を球転動領域よりも上方へ突出して、前記回動中心軸方向に沿って転動してきた遊技球が球保持部内へ流入することを規制するように構成されたことを特徴とする請求項１または請求項２に記載の遊技機。
【請求項４】
前記球転動領域は、遊技球を誘導可能な誘導溝部を設け、
該誘導溝部は、前記球受入姿勢において両流入阻止突起の間に位置する空間部へ向けて下り傾斜し、且つ前記回動中心軸方向とは異なる方向に沿って下り傾斜することを特徴とする請求項３に記載の遊技機。
【請求項５】
前記回転体の外周部のうち球吸着部と球保持部との間に位置する部分には、遊技球が当接可能な球当接部を備え、
該球当接部と回動体の回動中心軸との距離を当接径とし、該当接径を球吸着部側から球保持部側へ向けて次第に減少させたことを特徴とする請求項１から請求項４のいずれかに記載の遊技機。
【請求項６】
前記球移動機構は、回転体のうち前記球受入姿勢において当該回転体の下部となる箇所に遊技球よりも軽い錘部材を備えて、球保持部に遊技球を保持していない状態で球受入姿勢を維持可能とし、
該錘部材の自重により発生する回動中心軸周りの回転モーメントを、球保持部に保持された遊技球の自重により発生する回動中心軸周りの回転モーメントよりも小さく設定したことを特徴とする請求項１から請求項５のいずれかに記載の遊技機。
【請求項７】
前記球移動機構を球放出姿勢へ変換したことを検出する検出手段と、該検出手段の検出結果に基づいて報知を行う報知手段と、を備えたことを特徴とする請求項１から請求項６のいずれかに記載の遊技機。
【発明の詳細な説明】
【技術分野】
【０００１】
本発明は、遊技領域が区画形成された遊技盤と、遊技領域に配置され、遊技球が内部に入ることを規制する壁を枠状に設けた包囲枠体と、遊技領域のうち包囲枠体の下方に配置され、遊技球が入賞可能な入賞部とを備えたパチンコ遊技機等の遊技機に関する。
【背景技術】
【０００２】
従来の遊技機、例えば、パチンコ遊技機においては、遊技盤に区画形成された遊技領域に包囲枠体（センターケース）を配置し、該包囲枠体に開口部を開設して変動表示ゲームが表示される変動表示装置の表示画面を臨ませ、包囲枠体の下部には、包囲枠体内に流入した遊技球を横方向へ転動させる球転動部（ステージ部）を配置し、遊技者に遊技球が転動する様子を見せるように構成したものがある。また、包囲枠体の側部に転動案内路（所謂ワープ通路）を形成し、遊技領域のうち包囲枠体の上方や側方を流下する遊技球が転動案内路を通って球転動部上へ到達可能としている。
【０００３】
さらに、包囲枠体の下方には、変動表示ゲームを始動させるための始動入賞口（入賞部）を配置し、球転動部を転動した遊技球が下方へ落下して始動入賞口へ入賞したり、始動入賞口へ入賞せずに遊技盤の下部へ流下したりするように構成して、球転動部上での遊技球の転動態様に遊技者の興味を引き付けるようにしたものが提案されている（例えば、特許文献１参照）。
【特許文献１】特開２００６−１３６５０１号公報
【発明の開示】
【発明が解決しようとする課題】
【０００４】
ところで、上記特許文献に記載のパチンコ遊技機においては、球転動部上に複数の遊技球を転動可能としているが、いずれの遊技球も単純に転動して包囲枠体の下方へ落下するだけである。このため、球転動部上を転動する遊技球が別個の遊技球の挙動、具体的には別個の遊技球が始動入賞口へ入賞し易くなるか否かに影響を及ぼし難く、遊技の進行が単調になりがちである。このため、遊技の興趣が減衰する虞があり、好ましくない。
【０００５】
そこで、本発明は、上記の事情に鑑みてなされたものであり、その目的は、遊技球の重さを利用して別個の遊技球が入賞部に案内される準備を行うことができ、遊技の興趣が減衰する不都合を避けることができる遊技機を提供しようとするものである。
【課題を解決するための手段】
【０００６】
本発明は、上記目的を達成するために提案されたものであり、請求項１に記載のものは、遊技領域が区画形成された遊技盤と、遊技領域に配置され、遊技球が内部に入ることを規制する壁を枠状に設けた包囲枠体と、遊技領域のうち包囲枠体の下方に配置され、遊技球が入賞可能な入賞部と、を備えた遊技機において、
前記包囲枠体は、遊技球が転動可能な球転動領域と、上流側開口を遊技領域へ連通するとともに下流側開口を球転動領域の側方へ臨ませ、遊技領域を流下する遊技球を球転動領域へ案内可能な転動案内路と、球転動領域上の遊技球を入賞部の直上へ移動可能な球移動機構と、を備え、
該球移動機構は、回動中心軸周りに回動して外周部を上下方向に沿って移動可能な回動体と、該回動体の外周部を凹ませて形成され、遊技球を保持可能な球保持部と、を備え、該球保持部を上昇させて球転動領域へ下方から臨ませて球転動領域上の遊技球を球保持部へ受入可能な球受入姿勢と、球保持部を下降させて入賞部の直上へ向けて上方から臨ませて球保持部内の遊技球を放出可能な球放出姿勢と、に変換可能とし、
前記回動体の外周部のうち、球放出姿勢の状態で球転動領域へ臨ませる部分を球吸着部とし、該吸着部には遊技球を吸着可能な磁石を配置し、
前記回動体の外周部の外方には、球吸着部に吸着された遊技球へ係合して該遊技球を球吸着部から脱離させる球脱離部を設け、
前記球移動機構を球受入姿勢とした状態で球保持部に遊技球を保持すると、該遊技球の重心を回動体の回動中心軸の直上から外した位置に設定し、前記遊技球の自重により回動体を回動して球移動機構を球放出姿勢へ変換し、
前記球保持部に遊技球を保持した状態で球移動機構を球放出姿勢へ変換すると、遊技球を球保持部から入賞部の直上へ向けて放出し、球吸着部を球転動領域へ臨ませて球転動領域上の遊技球を球吸着部へ吸着可能とし、
前記球吸着部に遊技球を吸着した状態で球移動機構を球放出姿勢から球受入姿勢へ変換すると、球吸着部に吸着されていた遊技球と球脱離部とを係合し、この係合状態で回動体を回動して遊技球を球吸着部から脱離し、脱離された遊技球の下方に球保持部を臨ませて遊技球を球保持部へ保持可能としたことを特徴とする遊技機である。
【０００７】
請求項２に記載のものは、前記包囲枠体は、球転動領域よりも低い位置に副球転動領域を設け、球転動領域と副球転動領域との間に前記球移動機構を備え、該球移動機構により球転動領域上の遊技球を副球転動領域へ通して入賞部の直上へ移動可能とし、
前記副球転動領域には、球移動機構によって球転動領域から移動してきた遊技球を入賞部の直上へ案内可能な入賞案内路を設け、
前記球移動機構を球放出姿勢へ変換すると、球保持部を下降させて副球転動領域へ上方から臨ませて球保持部内の遊技球を副球転動領域の入賞案内路へ放出可能としたことを特徴とする請求項１に記載の遊技機である。
【０００８】
請求項３に記載のものは、前記球移動機構は、球保持部の開口縁のうち回動中心軸方向の両端に位置する箇所に流入阻止突起を突設し、
前記球移動機構を球受入姿勢へ変換すると、各流入阻止突起を球転動領域よりも上方へ突出して、前記回動中心軸方向に沿って転動してきた遊技球が球保持部内へ流入することを規制するように構成されたことを特徴とする請求項１または請求項２に記載の遊技機である。
【０００９】
請求項４に記載のものは、前記球転動領域は、遊技球を誘導可能な誘導溝部を設け、
該誘導溝部は、前記球受入姿勢において両流入阻止突起の間に位置する空間部へ向けて下り傾斜し、且つ前記回動中心軸方向とは異なる方向に沿って下り傾斜することを特徴とする請求項３に記載の遊技機である。
【００１０】
請求項５に記載のものは、前記回転体の外周部のうち球吸着部と球保持部との間に位置する部分には、遊技球が当接可能な球当接部を備え、
該球当接部と回動体の回動中心軸との距離を当接径とし、該当接径を球吸着部側から球保持部側へ向けて次第に減少させたことを特徴とする請求項１から請求項４のいずれかに記載の遊技機である。
【００１１】
請求項６に記載のものは、前記球移動機構は、回転体のうち前記球受入姿勢において当該回転体の下部となる箇所に遊技球よりも軽い錘部材を備えて、球保持部に遊技球を保持していない状態で球受入姿勢を維持可能とし、
該錘部材の自重により発生する回動中心軸周りの回転モーメントを、球保持部に保持された遊技球の自重により発生する回動中心軸周りの回転モーメントよりも小さく設定したことを特徴とする請求項１から請求項５のいずれかに記載の遊技機である。
【００１２】
請求項７に記載のものは、前記球移動機構を球放出姿勢へ変換したことを検出する検出手段と、該検出手段の検出結果に基づいて報知を行う報知手段と、を備えたことを特徴とする請求項１から請求項６のいずれかに記載の遊技機である。
【発明の効果】
【００１３】
本発明によれば、以下のような優れた効果を奏する。
請求項１に記載の発明によれば、包囲枠体は、遊技球が転動可能な球転動領域と、上流側開口を遊技領域へ連通するとともに下流側開口を球転動領域の側方へ臨ませ、遊技領域を流下する遊技球を球転動領域へ案内可能な転動案内路と、球転動領域上の遊技球を入賞部の直上へ移動可能な球移動機構と、を備え、該球移動機構は、回動中心軸周りに回動して外周部を上下方向に沿って移動可能な回動体と、該回動体の外周部を凹ませて形成され、遊技球を保持可能な球保持部と、を備え、該球保持部を上昇させて球転動領域へ下方から臨ませて球転動領域上の遊技球を球保持部へ受入可能な球受入姿勢と、球保持部を下降させて入賞部の直上へ向けて上方から臨ませて球保持部内の遊技球を放出可能な球放出姿勢と、に変換可能とし、回動体の外周部のうち、球放出姿勢の状態で球転動領域へ臨ませる部分を球吸着部とし、該吸着部には遊技球を吸着可能な磁石を配置し、回動体の外周部の外方には、球吸着部に吸着された遊技球へ係合して該遊技球を球吸着部から脱離させる球脱離部を設け、球移動機構を球受入姿勢とした状態で球保持部に遊技球を保持すると、該遊技球の重心を回動体の回動中心軸の直上から外した位置に設定し、前記遊技球の自重により回動体を回動して球移動機構を球放出姿勢へ変換し、球保持部に遊技球を保持した状態で球移動機構を球放出姿勢へ変換すると、遊技球を球保持部から入賞部の直上へ向けて放出し、球吸着部を球転動領域へ臨ませて球転動領域上の遊技球を球吸着部へ吸着可能とし、球吸着部に遊技球を吸着した状態で球移動機構を球放出姿勢から球受入姿勢へ変換すると、球吸着部に吸着されていた遊技球と球脱離部とを係合し、この係合状態で回動体を回動して遊技球を球吸着部から脱離し、脱離された遊技球の下方に球保持部を臨ませて遊技球を球保持部へ保持可能としたので、球保持部に保持された遊技球の重さを利用して、球転動領域を転動する別個の遊技球を球保持部へ保持する準備、さらには入賞部に案内する準備を行うことができる。したがって、従来にない斬新な機能を備えた包囲枠体を実現することができ、遊技の興趣が減衰する不都合を避けることができる。
【００１４】
請求項２によれば、包囲枠体は、球転動領域よりも低い位置に副球転動領域を設け、球転動領域と副球転動領域との間に前記球移動機構を備え、該球移動機構により球転動領域上の遊技球を副球転動領域へ通して入賞部の直上へ移動可能とし、副球転動領域には、球移動機構によって球転動領域から移動してきた遊技球を入賞部の直上へ案内可能な入賞案内路を設け、球移動機構を球放出姿勢へ変換すると、球保持部を下降させて副球転動領域へ上方から臨ませて球保持部内の遊技球を副球転動領域の入賞案内路へ放出可能としたので、入賞案内路を転動して入賞部の直上へ向かう遊技球の挙動を遊技者に見せることができ、遊技の興趣の向上を図ることができる。
【００１５】
請求項３に記載の発明によれば、球移動機構は、球保持部の開口縁のうち回動中心軸方向の両端に位置する箇所に流入阻止突起を突設し、球移動機構を球受入姿勢へ変換すると、各流入阻止突起を球転動領域よりも上方へ突出して、前記回動中心軸方向に沿って転動してきた遊技球が球保持部内へ流入することを規制するように構成したので、球転動領域上の遊技球を入賞部の直上へ誘導する度合いが極端に多く設定されること、ひいては遊技球が入賞部へ入賞し過ぎることを抑制することができ、遊技店が極端に不利益となる不都合を避けることができる。また、球移動機構を球放出姿勢へ変換した状態においては、流入阻止突起が球転動領域上の遊技球の球吸着部への吸着を阻止することがない。したがって、興趣に富んだ遊技球の転動態様を遊技者に見せることができる。
【００１６】
請求項４に記載の発明によれば、球転動領域は、遊技球を誘導可能な誘導溝部を設け、該誘導溝部は、前記球受入姿勢において両流入阻止突起の間に位置する空間部へ向けて下り傾斜し、且つ前記回動中心軸方向とは異なる方向に沿って下り傾斜するので、球転動領域上の遊技球を入賞部の直上へ誘導する度合いが極端に少なく設定されること、ひいては遊技球が入賞部へ入賞しなさ過ぎることを抑制することができ、遊技者が極端に不利益となる不都合を避けることができる。
【００１７】
請求項５に記載の発明によれば、回転体の外周部のうち球吸着部と球保持部との間に位置する部分には、遊技球が当接可能な球当接部を備え、該球当接部と回動体の回動中心軸との距離を当接径とし、該当接径を球吸着部側から球保持部側へ向けて次第に減少させたので、回動体を回動させて遊技球と球当接部との当接位置を球吸着部側から球保持部側へ移動するにしたがって、遊技球と回動体との間に生じた摩擦力の回動中心軸周りのモーメントを次第に小さくすることができる。これにより、回動体の回動時に掛かる負荷を小さくすることができ、球移動機構を球放出姿勢から球受入姿勢へスムーズに変換することができる。さらに、遊技球を球吸着部から円滑に脱離し易くすることができる。
【００１８】
請求項６に記載の発明によれば、球移動機構は、回転体のうち前記球受入姿勢において当該回転体の下部となる箇所に遊技球よりも軽い錘部材を備えて、球保持部に遊技球を保持していない状態で球受入姿勢を維持可能とし、該錘部材の自重により発生する回動中心軸周りの回転モーメントを、球保持部に保持された遊技球の自重により発生する回動中心軸周りの回転モーメントよりも小さく設定したので、遊技球の自重による回動体の回動をスムーズに行うことができる。また、簡単な構成で球受入姿勢を維持することができる。
【００１９】
請求項７に記載の発明によれば、球移動機構を球放出姿勢へ変換したことを検出する検出手段と、該検出手段の検出結果に基づいて報知を行う報知手段と、を備えたので、遊技球の球吸着部への吸着が許容されていることを報知することができる。したがって、遊技球が球吸着部へ吸着されるか否かという関心を遊技者に強く抱かせることができ、遊技の興趣の向上を図ることができる。
【発明を実施するための最良の形態】
【００２０】
以下、代表的な遊技機であるパチンコ遊技機を例に挙げて本発明の実施の最良の形態を図面に基づき説明する。図１はパチンコ遊技機の遊技盤の正面図である。
パチンコ遊技機の遊技盤１は、図１に示すように、合板やプラスチックなどで形成された矩形状の遊技盤本体２を備え、該遊技盤本体２の表面にガイドレールやサイドケース等の区画部材３を止着して略円形状の遊技領域４を区画形成し、該遊技領域４内の略中央に包囲枠体（センターケース）５を配置し、包囲枠体５の後方には、表示部７ａに複数の識別情報を変動表示して変動表示ゲームを行う変動表示装置７（本発明における報知手段に相当）を備えている。また、遊技領域４のうち包囲枠体５の下方には、遊技球が入賞可能な変動表示ゲーム始動用の始動入賞口８（本発明における入賞部に相当）を配置し、包囲枠体５の側方（図１中、左側方）には普図始動ゲート９を配置し、包囲枠体５の左下方および右下方には、発光により各種の装飾表示を行うサイドランプ１１を配置し、該サイドランプ１１に一般入賞口１２を備えている。さらに、始動入賞口８の下方には大入賞口１３を配置し、該大入賞口１３の下方であって遊技領域４の下縁部には、入賞せずに流下した遊技球を回収するアウト口１４を開設している。
【００２１】
次に、包囲枠体５について説明する。
包囲枠体５は、図２および図３に示すように、包囲枠体５のベースとなる枠状の枠体基部２１を備え、該枠体基部２１の後部には、中央部分に表示用開口部２２が開設された平板状の枠体蓋部２３を止着し、変動表示装置７の表示部７ａを表示用開口部２２および枠体基部２１の前側開口から包囲枠体５の前方へ臨ませている。また、枠体基部２１の前側開口の周縁部にはフランジ状の取付基板２５を包囲枠体５の外方へ向けて延設し、該取付基板２５を遊技盤本体２に止着して当該包囲枠体５を遊技盤１へ装着するように構成されている。
【００２２】
そして、取付基板２５の上部の前面には、包囲枠体５の前方へ突出した庇状の鎧部２７を包囲枠体５の左右両側へ向けて下り傾斜した状態で配置し、鎧部２７を遊技球（詳しくは遊技領域４内を包囲枠体５の上方から流下してくる遊技球）が包囲枠体５の内部へ入ることを規制する円弧枠状の壁として機能させている。また、包囲枠体５の内部のうち鎧部２７の下方には装飾部材２８を備え、枠体蓋部２３側（枠体基部２１の後側）の下部には、棚部２９をその上面が表示用開口部２２の下縁部よりも僅かに低く位置する状態で備え、棚部２９の前方、詳しくは取付基板２５の下部の後方であって枠体基部２１の下側に位置する底部には、遊技球が横方向（前後方向および左右方向）へ転動可能な球転動部３１を棚部２９よりも低い状態で配置している。さらに、枠体基部２１の左右両側部には、遊技球が流下可能な転動案内路（ワープ流路）３２を設け、転動案内路３２の上流側開口３２ａを鎧部２７の傾斜下端の下方に開放して包囲枠体５の側方の遊技領域４（遊技領域４の側部）へ連通している（図１参照）。また、転動案内路３２の下流側開口３２ｂを球転動部３１よりも高い位置から球転動部３１の側方へ向けて開放して球転動部３１へ臨ませ、遊技球を遊技領域４から転動案内路３２へ通して球転動部３１へ案内できるように構成されている。
【００２３】
球転動部３１は、当該球転動部３１の後側に設定された球転動領域（第１球転動領域）３６と、当該球転動部３１の前側（言い換えると球転動領域３６の前方）に球転動領域３６よりも１段低い位置に設定された副球転動領域（第２球転動領域）３７とを備えて構成されており、球転動領域３６の前縁部と、副球転動領域３７の後縁部との間には起立壁３８を形成している。また、球転動領域３６の前後幅を遊技球の直径の１．５倍程度となる寸法に設定し、副球転動領域３７の前後幅を遊技球の直径の３倍程度となる寸法に設定し、球転動領域３６の側方には転動案内路３２の下流側開口３２ｂを臨ませて、転動案内路３２を流下してきた遊技球を球転動領域３６へ受入可能としている。そして、球転動領域３６の後縁部を棚部２９の前面部へ当接し、遊技球が球転動部３１と棚部２９との間に落下する不都合、さらには遊技球が球転動部３１から表示用開口部２２側へ転動して変動表示装置７の表示部７ａに衝突する不都合を阻止可能としている。
【００２４】
球転動領域３６は、図１〜４に示すように、球転動部３１の左右両側から中央部分へ向けて下り傾斜した略円弧状の曲面を前方の副球転動領域３７へ向けて僅かに下り傾斜した状態で形成されており、当該球転動領域３６上の遊技球を副球転動領域３７へ通して球転動部３１の前方へ放出して、包囲枠体５の下方へ向けて誘導できるように構成されている。また、球転動領域３６の中央部を上方へ緩やかに隆起するとともに、始動入賞口８の直上の位置（詳しくは、遊技盤１の正面から見て始動入賞口８の直上の位置）に設定している（図１参照）。さらに、球転動領域３６の左右方向の途中には、遊技球を前方へ案内可能な第１放出部４１を複数箇所、具体的には、球転動領域３６の中央部（隆起部）の左右両側方、言い換えると球転動領域３６のうち始動入賞口８の直上から外れた位置に配置している。そして、第１放出部４１の底面をその左右方向の中央部分が下方に凹む湾曲面で形成し、この湾曲面を前方へ下り傾斜した状態に設定して、第１放出部４１に到達した遊技球が第１放出部４１上を左右に揺動しながら前方へ転動して副球転動領域３７へ放出できるように構成されている。なお、球転動領域３６の中央部の構造については、後で詳細に説明する。
【００２５】
副球転動領域３７は、図１〜４に示すように、球転動部３１の左右両側から中央部へ向けて下り傾斜した略円弧状の曲面を包囲枠体５の前方へ向けて僅かに下り傾斜した状態で形成されており、当該副球転動領域３７上の遊技球を球転動部３１の前方へ放出して包囲枠体５の下方へ向けて案内できるように構成されている。また、副球転動領域３７の中央部を始動入賞口８の直上の位置に設定するとともに球転動部３１の上方へ向けて緩やかに隆起し、副球転動領域３７の左右方向の途中には、遊技球を前方へ案内可能な第２放出部４２を複数箇所、具体的には、中央部（隆起部）の左右両側方、言い換えると副球転動領域３７のうち始動入賞口８の直上から外れた位置に配置している。さらに、第２放出部４２の底面をその左右方向の中央部分が下方に凹む湾曲面で形成し、この湾曲面を前方へ下り傾斜した状態に設定して、第２放出部４２に到達した遊技球が第２放出部４２上を左右に揺動しながら前方へ転動して遊技領域４へ放出できるように構成されている。
【００２６】
そして、包囲枠体５は、図２〜４に示すように、球転動領域３６と副球転動領域３７との間、言い換えると、球転動部３１のうち球転動領域３６の下方であって副球転動領域３７よりも高い位置に縦長な収納空間部４４を球転動部３１から棚部２９に亘って形成し、この収納空間部４４内には、球転動領域３６上の遊技球を副球転動領域３７へ通して始動入賞口８の直上へ移動可能な球移動機構４５を備えている。収納空間部４４は、図３および図４に示すように、当該収納空間部４４のうち球転動部３１側に位置する部分を転動側空間部（前方空間部）４６とし、該転動側空間部４６の上側には上側開放口４６ａを球転動領域３６の左右方向の中央部から上方へ向けて開放し、転動側空間部４６の前側（副球転動領域３７側）には前側開放口４６ｂを起立壁３８の左右方向の中央部から前方へ向けて開放している。さらに、収納空間部４４のうち棚部２９側に位置する部分を棚側空間部（後方空間部）４７とし、該棚側空間部４７を棚部２９の前面のうち左右方向の中央部を後方の変動表示装置７側へ凹ませて形成している。
【００２７】
球移動機構４５は、回動中心軸ＣＬの方向が横向きに設定された厚肉円板形状の回動体５１と、遊技球を保持可能な球保持部５２とを備えて構成されている。具体的に説明すると、図５（ａ），（ｃ）に示すように、回動体５１の一側（図５（ａ）中、左側）を構成する円板形状の第１回動構成部５１ａと、他側（図５（ａ）中、右側）を構成する円板形状の第２回動構成部５１ｂとを重合し、この状態でビス等の止着部材５１ｃで止着して回動体５１を構成している。そして、図４に示すように、該回動体５１の前半部分（回動中心軸ＣＬよりも球転動部３１側）を転動側空間部４６へ収納するとともに、後半部分（回動中心軸ＣＬよりも棚部２９側）を棚側空間部４７へ収納し、回動体５１の外周部の上側を転動側空間部４６の上側開放口４６ａから球転動領域３６へ臨ませ、外周部の前側を転動側空間部４６の前側開放口４６ｂから副球転動領域３７へ臨ませ、外周部の下部（底部）を副球転動領域３７よりも下方に沈ませている。
【００２８】
さらに、図５（ａ）に示すように、回動体５１の回動中心軸ＣＬ上には横向き姿勢の回動軸部材５４を両端部が回動体５１の外方へ突出する状態、且つ球転動部３１（球転動領域３６、副球転動領域３７）の延在方向となる左右方向に沿った姿勢で配置し、該回動軸部材５４の両端部を棚部２９の前面のうち棚側空間部４７の左右両側縁に形成された回動軸受部５５に回動自在な状態で支持し、回動軸部材５４（回動中心軸ＣＬ）の周りに回動して円筒状の外周部を上下方向に沿って移動可能としている（図６（ａ）参照）。そして、球転動領域３６の後端部から軸脱落防止部５６を下方へ向けて延設し、回動軸受部５５の上部に開設された軸挿通口を軸脱落防止部５６により閉成して、回動軸部材５４が回動軸受部５５から脱落することを阻止している（図６（ｂ）参照）。
【００２９】
また、図４および図５（ａ）に示すように、回動体５１の外周部のうち転動側空間部４６側に位置する部分には、前記球保持部５２を回動中心軸ＣＬ側へ凹ませて形成して遊技球を１個保持可能とし、回動体５１を回動して球保持部５２を球転動領域３６へ臨ませたり副球転動領域３７へ臨ませたりできるように構成されている。詳しくは、回動体５１を副球転動領域３７側に位置する外周部が上昇する方向（図４中、矢印Ａで示す受入変換方向）へ回動して球保持部５２を上昇させると、この球保持部５２、詳しくは球保持部５２のうち回動体５１の外周部側に開放された保持開口５２ａを転動側空間部４６の上側開放口４６ａの下方に配置して球転動領域３６へ下方から臨ませて、球転動領域３６上の遊技球を球保持部５２へ受入可能な球受入姿勢へ変換する（図４および図７（ｂ）参照）。一方、回動体５１を副球転動領域３７側に位置する外周部が下降する方向（図４中、矢印Ｂで示す放出変換方向）へ回動して球保持部５２を下降させると、球保持部５２（保持開口５２ａ）を転動側空間部４６の前側開放口４６ｂの後方に配置して副球転動領域３７のうち始動入賞口８の直上に位置する箇所へ向けて上方から臨ませて、球保持部５２内の遊技球を副球転動領域３７へ放出可能な球放出姿勢へ変換する（図８（ｂ）参照）。なお、球受入姿勢では、球保持部５２の位置を、当該球保持部５２に保持された遊技球の重心ＰＧ（図５（ｃ）および図７（ｂ）参照）が回動中心軸ＣＬの直上から副球転動領域３７側へずれた位置となる状態に設定し、遊技球が球保持部５２に保持された状態で回動体５１が回動せずにバランスを取ってしまう不都合、すなわち球放出姿勢へ変換しなくなる不都合を避けている。
【００３０】
さらに、図４および図５（ｃ）に示すように、回動体５１の外周部のうち球保持部５２から放出変換方向Ｂへ位相を９０度よりも僅かに大きな角度でずらした位置には受入姿勢ストッパー５８を突出し、副球転動領域３７の後部から転動側空間部４６側へ突出されたストッパー受部５９に受入姿勢ストッパー５８を下方から係合して、回動体５１が球受入姿勢から受入変換方向Ａへ回動すること、言い換えると球保持部５２が棚側空間部４７側へ移動することを阻止可能としている。また、球保持部５２の保持開口５２ａのうち球放出方向に位置する縁部、具体的には球受入姿勢において副球転動領域３７側に位置する前縁部には放出姿勢ストッパー６０を突出し、該放出姿勢ストッパー６０をストッパー受部５９に上方から係合して、回動体５１が球放出姿勢から放出変換方向Ｂへ回動すること、言い換えると球保持部５２が副球転動領域３７よりも低い位置へ移動することを阻止可能としている。
【００３１】
そして、回動体５１の内部のうち回動軸部材５４を挟んで球保持部５２とは反対側、言い換えると球受入姿勢において回動体５１の下部となる箇所には、遊技球よりも軽い錘部材６３を錘収納部６４（図５（ａ），（ｂ）参照）へ収納して備え、球保持部５２に遊技球を保持していない状態では錘部材６３を回動軸部材５４よりも下方に位置させて球受入姿勢を維持できるように構成されている。さらに、図５（ｃ）に示すように、球保持部５２内に保持された状態の遊技球の重心ＰＧの位置と回動中心軸ＣＬとの距離ＲＰと、錘部材６３の重心位置と回動中心軸ＣＬとの距離ＲＷとを略等しく設定し、錘部材６３の自重により発生する回動中心軸ＣＬ周りの回転モーメントを、球保持部５２に保持された遊技球の自重により発生する回動中心軸ＣＬ周りの回転モーメントよりも小さく設定している。
【００３２】
また、回動体５１の外周部のうち球放出姿勢で球転動領域３６へ臨ませる部分、具体的には球保持部５２から放出変換方向Ｂへ略９０度位相がずれた部分を球吸着部６６とし、該球吸着部６６の内側には、遊技球を吸着可能な磁石６７を磁石収納部６８（図５（ａ），（ｂ）参照）へ収納して配置（内蔵）し、回動体５１の外周部のうち球保持部５２と球吸着部６６との間に位置する部分を球当接部６９としている。そして、球放出姿勢においては、球吸着部６６および球当接部６９を転動側空間部４６の上側開放口４６ａから球転動領域３６へ臨ませて、球転動領域３６上を転動してきた遊技球を球吸着部６６へ吸着可能または球当接部６９へ当接可能とし（図８（ａ），（ｂ）参照）、球受入姿勢においては、球吸着部６６および球当接部６９を棚側空間部４７内へ引き込んで球転動領域３６上を転動してきた遊技球を球吸着部６６へ吸着不能または球当接部６９へ当接不能としている（図４および図７（ｂ）参照）。さらに、図５（ｃ）に示すように、球当接部６９と回動中心軸ＣＬとの距離を当接径ＲＴとし、該当接径ＲＴを球吸着部６６側から球保持部５２側へ向けて（言い換えると放出変換方向Ｂに沿って）次第に減少させている。なお、球吸着部６６上および球当接部６９上の遊技球の挙動については、後で詳細に説明する。
【００３３】
そして、包囲枠体５は、図４に示すように、回動体５１の外周部の外方、具体的には棚部２９の前面部のうち外周部の上方に位置する部分（言い換えると棚側空間部４７の開口縁の上側）を球脱離部７１とし、球吸着部６６に吸着された遊技球に球脱離部７１を係合して遊技球を球吸着部６６から脱離できるように構成されている。なお、球脱離部７１による遊技球の脱離動作については、後で詳細に説明する。また、図１〜４に示すように、副球転動領域３７のうち回動体５１の前方に位置する部分（副球転動領域３７の左右方向の中央部）には、入賞案内路７４を前方へ向けて下り傾斜した姿勢で設け、該入賞案内路７４の傾斜下端を始動入賞口８の直上の位置（詳しくは遊技盤１の正面から見て始動入賞口８の直上の位置）に設定して、入賞案内路７４上を転動する遊技球を始動入賞口８の直上へ案内可能としている。さらに、入賞案内路７４の上流部（球移動機構４５側）の左右両側方には案内突条７５を突設し、球移動機構４５によって球転動領域３６から入賞案内路７４へ移動してきた遊技球が入賞案内路７４の外方へ外れることを案内突条７５により阻止できるように構成されている。
【００３４】
さらに、包囲枠体５は、球移動機構４５を球放出姿勢へ変換したことを検出可能な検出機構７７（本発明における検出手段に相当）を備えている。検出機構７７は、図４に示すように、回動体５１の外周部に突設された検出片７８と、枠体蓋部２３のうち表示用開口部２２の下方に設けられた検出センサ７９とを備えて構成されている。そして、検出片７８を外周部のうち錘部材６３の近傍、言い換えると回動中心軸ＣＬを挟んで球保持部５２とは反対側の位置に設け、球放出姿勢において球保持部５２を副球転動領域３７側へ向けて回動体５１の前側に位置させたときに、検出片７８を回動体５１の後側に位置させて棚側空間部４７の後方へ突出するように構成されている。また、検出センサ７９を棚側空間部４７の直後に配置し、棚側空間部４７から後方へ突出した検出片７８を検出して、回動体５１（球移動機構４５）が球放出姿勢であることを検出可能としている。
【００３５】
次に、包囲枠体５、特に球移動機構４５の作用について説明する。なお、球転動部３１には遊技球を転動しておらず、球移動機構４５は、予め球保持部５２に遊技球を保持しないで球受入姿勢に設定されているものとする（図４参照）。
発射装置（図示せず）から発射された遊技球が遊技領域４へ飛入し、包囲枠体５の側方から転動案内路３２の上流側開口３２ａへ流入すると、包囲枠体５は、この遊技球を転動案内路３２へ流下させて下流側開口３２ｂから球転動領域３６（球転動部３１）の側部へ案内する。球転動領域３６上に案内された遊技球は、球転動領域３６の左右方向の中央部分へ向けて転動し、転動勢が弱くなった状態で第１放出部４１へ到達すると、第１放出部４１上を左右方向に揺動しながら前方へ向けて転動し、第１放出部４１から下方の副球転動領域３７へ放出される。さらに、副球転動領域３７上を左右方向へ転動し、転動勢が弱くなった状態で第２放出部４２へ到達すると、第２放出部４２上を左右方向に揺動しながら前方へ向けて転動し、第２放出部４２から下方の遊技領域４、詳しくは遊技領域４のうち始動入賞口８の直上から外れた位置に落下する。したがって、第１放出部４１および第２放出部４２に案内された遊技球は始動入賞口８へ入賞し難い。
【００３６】
また、図７（ａ），（ｂ）に示すように、球転動領域３６を転動する遊技球が転動側空間部４６の上側開放口４６ａへ落下すると、この遊技球は、球受入姿勢における球移動機構４５の球保持部５２に保持される。このとき、包囲枠体５は、球移動機構４５の球保持部５２のうち保持開口５２ａの前側縁（副球転動領域３７側の縁部）に放出姿勢ストッパー６０を上方へ突出した姿勢に設定し、該放出姿勢ストッパー６０に遊技球（詳しくは球保持部５２へ向かって移動する遊技球）を当接可能としているので、上側開放口４６ａから前方へ移動しようとする遊技球の動きを放出姿勢ストッパー６０により規制することができ、遊技球を球保持部５２へ保持し易い。そして、球移動機構４５を球受入姿勢とした状態で球保持部５２に遊技球を保持すると、球保持部５２内の遊技球の重心ＰＧを回動体５１の回動中心軸ＣＬの直上から副球転動領域３７側へ外した位置に設定し、前記遊技球の自重により回動体５１を放出変換方向Ｂへ回動する。詳しくは、遊技球の自重で回動中心軸ＣＬ周りの回転モーメントを錘部材６３の自重による回転モーメントに抗して発生させて、回動体５１を放出変換方向Ｂへ回動する。さらに、球保持部５２の保持開口５２ａを副球転動領域３７へ臨ませて球移動機構４５を球放出姿勢へ変換し、放出姿勢ストッパー６０をストッパー受部５９へ係合して球放出姿勢を維持する。ここで、球移動機構４５は、錘部材６３の自重により発生する回動中心軸ＣＬ周りの回転モーメントを、球保持部５２に保持された遊技球の自重により発生する回動中心軸ＣＬ周りの回転モーメントよりも小さく設定しているので、回動体５１をスムーズに放出変換方向Ｂへ回動することができる。
【００３７】
そして、図８（ａ），（ｂ）に示すように、球移動機構４５（回動体５１）を球放出姿勢へ変換すると、包囲枠体５は、球吸着部６６を棚側空間部４７から引き出して転動側空間部４６の上側開放口４６ａから球転動領域３６へ臨ませて、球吸着部６６への遊技球の吸着を許容する。さらに、検出機構７７により球移動機構４５の球放出姿勢を検出し、変動表示装置７を報知手段として機能させ、検出機構７７の検出結果に基づいて表示部７ａに「ＣＨＡＮＣＥ」の文字および球移動機構４５（回動体５１）を指し示す矢印を表示して、球移動機構４５が球放出姿勢に変換したことを報知する。したがって、遊技球の球吸着部６６への吸着が許容されていることを報知することができる。この結果、遊技球が球吸着部６６へ吸着されるか否かという関心を遊技者に強く抱かせることができ、遊技の興趣の向上を図ることができる。そして、球吸着部６６への遊技球の吸着が許容された状態で、球保持部５２に保持されている遊技球とは別個の遊技球が転動案内路３２から球転動領域３６へ案内されて転動側空間部４６の上側開放口４６ａへ到達すると、この遊技球（球転動領域３６上の遊技球）が球吸着部６６へ載置する状態で吸着される。
【００３８】
また、吸着状態の遊技球とは別個の遊技球を球保持部５２に保持していた球移動機構４５は、球保持部５２内から遊技球を始動入賞口８の直上へ向けて前方へ放出して入賞案内路７４へ流入させる。したがって、遊技球を球転動領域３６から副球転動領域３７へ移動する。入賞案内路７４へ流入した遊技球は、入賞案内路７４の左右方向へ揺れることを案内突条７５により阻止されながら入賞案内路７４を前方へ向けて転動し、入賞案内路７４の傾斜下端から包囲枠体５の前方へ放出されて始動入賞口８の直上へ落下する。この結果、球保持部５２に保持されて副球転動領域３７へ移動してきた遊技球は、始動入賞口８へ入賞し易い。
【００３９】
さらに、遊技球を球吸着部６６へ吸着した状態で球保持部５２から別個の遊技球を放出すると、球移動機構４５は、錘部材６３の自重により発生する回動中心軸ＣＬ周りの回転モーメントに基づいて回動体５１を受入変換方向Ａへ回動する。このとき、検出片７８が検出センサ７９から外れて検出機構７７が球放出姿勢の検出状態を解除し、包囲枠体５が検出機構７７の検出解除動作に基づいて変動表示装置７における報知表示を終了する。引き続き回動体５１を受入変換方向Ａへ回動すると、包囲枠体５は、球吸着部６６に吸着されていた遊技球を球吸着部６６とともに棚側空間部４７側へ移動して、球脱離部７１へ係合する。この係合状態で回動体５１を受入変換方向Ａへ回動し続けると、球吸着部６６に吸着されていた回動体５１上の遊技球を磁石６７の磁力で吸引しながらも球吸着部６６から脱離し、遊技球を球脱離部７１へ係合した状態で遊技球の底部に球当接部６９を摺動させる。ここで、当接径ＲＴを球吸着部６６側から球保持部５２側へ向けて次第に減少させているので、回動体５１を回動させて遊技球と球当接部６９との当接位置を球吸着部６６側から球保持部５２側へ移動するにしたがって、遊技球と回動体５１との間に生じた摩擦力の回動中心軸ＣＬ周りのモーメントを次第に小さくすることができる。これにより、回動体５１の回動時に掛かる負荷を小さくすることができ、球移動機構４５を球放出姿勢から球受入姿勢へスムーズに変換することができる。さらに、遊技球を球吸着部６６から円滑に脱離し易くすることができる。
【００４０】
そして、受入姿勢ストッパー５８をストッパー受部５９へ係合して球受入姿勢に戻ると、球吸着部６６から脱離された遊技球（球脱離部７１に係合した状態の遊技球）の下方に球保持部５２を臨ませて、遊技球を球保持部５２へ落下させて保持する。球保持部５２に遊技球を保持すると、球移動機構４５は、再び遊技球の自重で回動体５１を放出変換方向Ｂへ回動させて球放出姿勢へ変換し、球保持部５２内の遊技球を入賞案内路７４へ放出する。このようにして、包囲枠体５は、球保持部５２に保持された遊技球の重さを利用して、球転動領域３６を転動する別個の遊技球を球保持部５２へ保持する準備、さらには始動入賞口８に案内する準備を行うことができる。したがって、従来にない斬新な機能を備えた球転動部３１を実現することができ、遊技の興趣が減衰する不都合を避けることができる。さらに、入賞案内路７４を転動して始動入賞口８の直上へ向かう遊技球の挙動を遊技者に見せることができ、遊技の興趣の向上を図ることができる。
【００４１】
また、回動体５１の内部に遊技球よりも軽い錘部材６３を備えて、球保持部５２に遊技球を保持していない状態で球受入姿勢を維持可能とし、該錘部材６３の自重により発生する回動中心軸ＣＬ周りの回転モーメントを、球保持部５２に保持された遊技球の自重により発生する回動中心軸ＣＬ周りの回転モーメントよりも小さく設定したので、遊技球の自重による回動体５１の回動をスムーズに行うことができる。また、簡単な構成で球受入姿勢を維持することができる。
【００４２】
ところで、上記実施形態では、球移動機構４５を球受入姿勢とした状態で球転動領域３６上の遊技球が球保持部５２へ保持されることを規制する構成を備えていないが、本発明はこれに限定されない。例えば、図９〜１１に示す第２実施形態の球転動部３１は、基本的には第１実施形態の球転動部３１と同じであるが、球転動領域３６の構造の一部、および球移動機構４５の構造の一部が異なる。具体的に説明すると、第２実施形態における球転動部３１は、図９（ａ）および（ｂ）に示すように、球転動領域３６の前後幅を遊技球の直径の３倍程度となる寸法に設定し、転動側空間部４６の上側開放口４６ａの後方、言い換えると上側開放口４６ａと棚部２９との間には、遊技球を誘導可能な誘導溝部８２を上側開放口４６ａへ向けて下り傾斜した姿勢で設けている。また、上側開放口４６ａの左右両側方には、遊技球が転動可能な転動段差部８３を球転動領域３６から１段凹ませて形成し、該転動段差部８３を回動中心軸ＣＬの方向とは異なる方向に沿って下り傾斜、詳しくは前方の副球転動領域３７側へ向けて僅かに下り傾斜させている（図９（ｂ）参照）。また、球移動機構４５は、転動側空間部４６の上側開放口４６ａの後側縁部（棚部２９側に位置する縁部）を球脱離部８４とし、該球脱離部８４に遊技球（詳しくは球吸着部６６上または球当接部６９上の遊技球）を係合可能としている。さらに、図９（ｃ）に示すように、球保持部５２の保持開口５２ａの前縁部に放出姿勢ストッパー６０を設けず、保持開口５２ａの左右両側縁、言い換えると、保持開口５２ａの開口縁のうち回動中心軸ＣＬの方向（球転動部３１の左右延在方向）の両端に位置する箇所に流入阻止突起８６を回動体５１の半径方向へ向けて突設している。
【００４３】
このような構成を備えて球移動機構４５を球受入姿勢へ変換すると、球移動機構４５は、図１０に示すように、流入阻止突起８６のうち受入変換方向Ａ側（後側）に位置する縁部を球脱離部８４に係合して回動体５１が受入変換方向Ａへ回動することを規制し、さらには各流入阻止突起８６を球転動領域３６の転動段差部８３よりも上方へ突出する。また、球移動機構４５のうち両流入阻止突起８６の間に位置する空間部（球保持部５２の保持開口５２ａの上方に位置する空間部）を誘導溝部８２の傾斜下端の前方に位置させる。言い換えると、誘導溝部８２を球受入姿勢における両流入阻止突起８６間の空間部へ向けて下り傾斜した姿勢に設定する。
【００４４】
この状態で遊技球が球転動領域３６上を側部から中央部へ回動中心軸ＣＬの方向に沿って転動してくると、転動段差部８３の後方を通って誘導溝部８２に向かったり、あるいは転動段差部８３へ進入したりする。そして、遊技球が誘導溝部８２に向かった場合において転動勢を弱めた状態で誘導溝部８２に到達すると、この遊技球は、誘導溝部８２に沿って前方へ転動し、誘導溝部８２の傾斜下端から転動側空間部４６の上側開放口４６ａおよび両流入阻止突起８６間の空間部を通って落下し、球保持部５２内に保持される。一方、遊技球が転動段差部８３へ進入した場合において、引き続き球転動領域３６の中央部、具体的には転動側空間部４６の上側開放口４６ａへ向けて回動中心軸ＣＬの方向に沿って転動すると、この遊技球は、突出状態の流入阻止突起８６に当接して上側開放口４６ａへの落下、ひいては球保持部５２内への進入を阻止されて、回動中心軸ＣＬの方向への転動勢を減衰させる。そして、転動段差部８３上を該転動段差部８３の下り傾斜方向に沿って前方へ転動し、副球転動領域３７のうち入賞案内路７４から側方に外れた位置に落下する。このとき、転動段差部８３の後側縁部および球転動領域３６の側部寄りの縁部を１段高くして起立しているので、転動段差部８３上の遊技球は、転動段差部８３から外れて球転動領域３６の側部や後部へ向けて転動することを阻止される。したがって、転動段差部８３上の遊技球が、球転動領域３６の中央部から一旦下って回動中心軸ＣＬの方向へ向かう転動勢を再び得ること、ひいては再び中央部へ上って誘導溝部８２に到達して球保持部５２へ誘導されることがない。
【００４５】
このようにして、第２実施形態における球転動部３１では、回動中心軸ＣＬの方向に沿って転動してきた遊技球が球保持部５２内へ流入することを規制している。したがって、球転動領域３６上の遊技球を入賞案内路７４へ通して始動入賞口８の直上へ誘導する度合いが極端に多く設定されること、ひいては遊技球が始動入賞口８へ入賞し過ぎることを抑制することができ、遊技店が極端に不利益となる不都合を避けることができる。また、遊技球を誘導溝部８２により球保持部５２へ誘導可能としているので、球転動領域３６上の遊技球を入賞案内路７４へ通して始動入賞口８の直上へ誘導する度合いが極端に少なく設定されること、ひいては遊技球が始動入賞口８へ入賞しなさ過ぎることを抑制することができ、遊技者が極端に不利益となる不都合をも避けることができる。
【００４６】
そして、球保持部５２に遊技球を保持し、この遊技球の自重により回動体５１を回動して当該球移動機構４５を球放出姿勢へ変換すると、球転動部３１は、図１１に示すように、流入阻止突起８６のうち放出変換方向Ｂ側（下側）に位置する縁部をストッパー受部５９に上方から係合して回動体５１が放出変換方向Ｂへ回動することを規制する。また、各流入阻止突起８６を転動側空間部４６の前側開放口４６ｂの近傍に移動して、球転動領域３６の転動段差部８３よりも上方へ突出した状態を解除し、さらには、球吸着部６６を転動側空間部４６の上側開放口４６ａから球転動領域３６へ臨ませて、球吸着部６６への遊技球の吸着を許容する。この状態で、球保持部５２から放出された遊技球とは別個の遊技球が転動案内路３２から球転動領域３６へ案内されて転動側空間部４６の上側開放口４６ａへ到達すると、この遊技球（球転動領域３６上の遊技球）が球吸着部６６へ載置する状態で吸着される。そして、球保持部５２に保持していた遊技球が放出されると、球移動機構４５が錘部材６３の自重により受入変換方向Ａへ回動する。すると、球吸着部６６上の遊技球が球脱離部８４により脱離され、球当接部６９を通って球保持部５２に保持される。
【００４７】
ところで、上記実施形態では入賞案内路７４を案内突条７５で区画して設定したが、本発明はこれに限定されない。要は、球移動機構４５により副球転動領域３７上へ移動してきた遊技球を始動入賞口８の直上へ案内できれば、どのような構造の入賞案内路７４であってもよい。例えば、副球転動領域３７の中央部分を凹ませて溝状の入賞案内路を形成してもよい。なお、入賞案内路を溝状に形成した場合には、球移動機構４５により移動してきた遊技球だけではなく、副球転動領域３７上を左右方向に転動する遊技球をも入賞案内路に進入して始動入賞口８の直上へ案内することが考えられる。そこで、溝状の入賞案内路の左右両側方に進入防止突条を設ければ、副球転動領域３７上を左右方向に転動する遊技球が入賞案内路に進入すること、ひいては始動入賞口８の直上へ案内されることを阻止できる。したがって、球転動部３１上を転動する遊技球のうち、球保持部５２に保持されてきた遊技球にのみ始動入賞口８への入賞チャンスを付与するように設定することができる。この結果、球保持部５２に遊技球を保持して欲しいという遊技者の期待感を煽ることができ、遊技の興趣を高めることができて好適である。
【００４８】
また、上記実施形態では、検出機構７７（検出手段）を検出片７８と検出センサ７９とで構成したが、本発明はこれに限定されない。要は、球移動機構４５を球放出姿勢へ変換したことを検出可能であれば、どのような構成の検出手段であってもよい。そして、変動表示装置７で検出機構７７の検出結果に基づいて報知を行うように設定したが、本発明はこれに限定されない。要は、検出機構の検出結果に基づいて報知を行うことができれば、どのような構成の報知手段であってもよく、変動表示装置７とは別個に報知手段を設けてもよい。さらに、上記実施形態では、包囲枠体５の下方に始動入賞口８を配置し、球転動部３１を転動する遊技球が始動入賞口８の直上に落下し得るように構成したが、本発明はこれに限定されない。要は、球転動部３１を転動してきた遊技球が入賞可能であれば、どのような構成の入賞部を包囲枠体５の下方に配置してもよい。そして、上記実施形態では、球転動部３１に副球転動領域３７を設けたが、本発明はこれに限定されない。例えば、球転動部３１に副球転動領域および入賞案内路を設けず、球移動機構４５が始動入賞口８の直上に遊技球を直接放出できるように構成してもよい。
【００４９】
また、上記実施形態では、代表的な遊技機であるパチンコ遊技機を例にして説明したが、本発明はこれに限らず、遊技領域が区画形成された遊技盤と、遊技領域に配置され、遊技球が内部に入ることを規制する壁を枠状に設けた包囲枠体と、遊技領域のうち包囲枠体の下方に配置され、遊技球が入賞可能な入賞部とを備えた遊技機であればどのような遊技機でもよい。例えば、封入球式パチンコ機、アレンジボール式遊技機、雀球式遊技機等の遊技機であってもよい。
【００５０】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００５１】
【図１】遊技盤の正面図である。
【図２】包囲枠体の斜視図である。
【図３】包囲枠体の分解斜視図である。
【図４】球転動部の側方から見た断面図である。
【図５】球移動機構の説明図であり、（ａ）は球移動機構の分解斜視図、（ｂ）は第２回動構成部の内側を示す斜視図、（ｃ）は球移動機構の側面図である。
【図６】球移動機構の軸支状態を示す説明図であり、（ａ）は斜視図、（ｂ）は側方から見た断面図である。
【図７】球移動機構を球受入姿勢にした状態図であり、（ａ）は斜視図、（ｂ）は側方から見た断面図である。
【図８】球移動機構を球放出姿勢にした状態図であり、（ａ）は斜視図、（ｂ）は側方から見た断面図である。
【図９】第２実施形態における球転動部の説明図であり、（ａ）は斜視図、（ｂ）は側方から見た断面図、（ｃ）は球移動機構の斜視図である。
【図１０】第２実施形態における球移動機構を球受入姿勢とした状態図である。
【図１１】第２実施形態における球移動機構を球放出姿勢とした状態図である。
【符号の説明】
【００５２】
１  遊技盤
４  遊技領域
５  包囲枠体
７  変動表示装置
８  始動入賞口
２９  棚部
３１  球転動部
３２  転動案内路
３２ａ  上流側開口
３２ｂ  下流側開口
３６  球転動領域
３７  副球転動領域
３８  起立壁
４４  収納空間部
４５  球移動機構
４６  転動側空間部
４６ａ  上側開放口
４６ｂ  前側開放口
４７  棚側空間部
５１  回動体
５２  球保持部
５８  受入姿勢ストッパー
６０  放出姿勢ストッパー
６３  錘部材
６６  球吸着部
６７  磁石
６９  球当接部
７１  球脱離部
７４  入賞案内路
７５  案内突条
７７  検出機構
７８  検出片
７９  検出センサ
８２  誘導溝部
８３  転動段差部
８４  球脱離部
８６  流入阻止突起
【図１】
2010136907.tif 000003
【図２】
2010136907.tif 000004
【図３】
2010136907.tif 000005
【図４】
2010136907.tif 000006
【図５】
2010136907.tif 000007
【図６】
2010136907.tif 000008
【図７】
2010136907.tif 000009
【図８】
2010136907.tif 000010
【図９】
2010136907.tif 000011
【図１０】
2010136907.tif 000012
【図１１】
2010136907.tif 000013